(57)【要約】【課題】  無線ＬＡＮを使用した電話システムにおいて、着信できない場合に行う処理を、着信できない原因毎に変えることで、着側とのアクセスの機会を向上させる呼接続制御装置及び呼接続制御方法を提供する。【解決手段】  呼接続制御装置１１に着信要求が到達した際、図２に示す手順が開始される。着信対象の無線ＩＰ電話機６３がログインしていない場合、呼接続制御装置１１は処理１を行い、着信対象の無線ＩＰ電話機６３が話中の場合、呼接続制御装置１１は処理２を行い、着信対象の無線ＩＰ電話機６３が呼び出しに対して正常応答を返さない場合、呼接続制御装置１１は処理３を行う。呼接続制御装置１１は、ログインしている無線ＩＰ電話機６３の内線番号、及び処理１、処理２、処理３の内容を記憶している。【選択図】  図２
2007074428.tif 000002
【特許請求の範囲】
【請求項１】
無線ＬＡＮ基地局を通して接続される無線ＩＰ電話機の呼接続制御を行う呼接続制御装置であって、
着信を要求された無線ＩＰ電話機が着信できない場合に着信できない原因毎に行う処理を記憶する記憶手段と、
着信を要求された無線ＩＰ電話機が着信できない場合に着信できない原因に対応する前記記憶された処理を行う処理手段と
を備えることを特徴とする呼接続制御装置。
【請求項２】
無線ＬＡＮ基地局を通して接続される無線ＩＰ電話機の呼接続制御を行う呼接続制御装置であって、
着信を要求された無線ＩＰ電話機がログインしていない場合、着信を要求された無線ＩＰ電話機が話中の場合、着信を要求された無線ＩＰ電話機がログインしていて呼び出しに対して正常応答を返さない場合の各々において行う処理を記憶する記憶手段と、
着信を要求された無線ＩＰ電話機が着信できない場合に着信できない原因に対応する前記記憶された処理を行う処理手段と
を備えることを特徴とする呼接続制御装置。
【請求項３】
無線ＬＡＮ基地局を通して接続される無線ＩＰ電話機の呼接続制御を行う呼接続制御装置において使用され、前記無線ＩＰ電話機に対する着信要求を受けた際に呼接続制御を行う呼接続制御方法であって、
着信を要求された無線ＩＰ電話機が着信できない場合に、着信できない原因毎に予め定めた処理を行うことを特徴とする呼接続制御方法。
【請求項４】
無線ＬＡＮ基地局を通して接続される無線ＩＰ電話機の呼接続制御を行う呼接続制御装置において使用され、前記無線ＩＰ電話機に対する着信要求を受けた際に呼接続制御を行う呼接続制御方法であって、
着信を要求された無線ＩＰ電話機がログインしていない場合、着信を要求された無線ＩＰ電話機が話中の場合、着信を要求された無線ＩＰ電話機がログインしていて呼び出しに対して正常応答を返さない場合の各々において、各々の場合毎に予め定めた処理を行うことを特徴とする呼接続制御方法。
【発明の詳細な説明】
【技術分野】
【０００１】
本発明は、無線ＬＡＮを使用した電話システムに関するものであり、より詳しくは、無線ＬＡＮ基地局を通して接続される無線ＩＰ電話機の呼接続制御を行う呼接続制御装置、及びこの呼接続制御装置における呼接続制御方法に関するものである。
【背景技術】
【０００２】
近年、無線ＬＡＮ基地局と、これと通信可能な無線ＩＰ電話機と、呼接続制御を行う呼接続制御装置とを用いた内線電話システムが普及して来ている。
【０００３】
しかし、この無線ＩＰ電話機に対する着信に対して応答できない場合、即ち、着信できない場合、発信者には常にビジートーン（話中音）が聞こえるだけであり、使い勝手の悪いものであった。
【０００４】
特許文献１は、この問題点を解決するために、無線ＩＰ電話機に対する着信を、他の電話機に転送する技術を開示している。
【０００５】
【特許文献１】特開２００３−２８４１４４号公報
【発明の開示】
【発明が解決しようとする課題】
【０００６】
しかしながら、特許文献１の技術では、着信できない場合に、着信できない原因に因らず、常に一定の処理（例えば、他の電話機に対して転送するという処理）しかできず、着信できない原因毎に異なった処理を行うことができなかった。
【０００７】
本発明は、上述の問題点に鑑みてなされたものであり、無線ＬＡＮを使用した電話システムにおいて、着信できない場合に行う処理を、着信できない原因毎に変えることで、着側とのアクセスの機会を向上させる呼接続制御装置及び呼接続制御方法を提供することを目的とする。
【課題を解決するための手段】
【０００８】
請求項１に記載の呼接続制御装置は、無線ＬＡＮ基地局を通して接続される無線ＩＰ電話機の呼接続制御を行う呼接続制御装置であって、着信を要求された無線ＩＰ電話機が着信できない場合に着信できない原因毎に行う処理を記憶する記憶手段と、着信を要求された無線ＩＰ電話機が着信できない場合に着信できない原因に対応する前記記憶された処理を行う処理手段とを備えることを特徴とする。
【０００９】
請求項１に記載の呼接続制御装置によれば、着信できない場合に行う処理を、着信できない原因毎に変えることができる。
【００１０】
請求項２に記載の呼接続制御装置は、無線ＬＡＮ基地局を通して接続される無線ＩＰ電話機の呼接続制御を行う呼接続制御装置であって、着信を要求された無線ＩＰ電話機がログインしていない場合、着信を要求された無線ＩＰ電話機が話中の場合、着信を要求された無線ＩＰ電話機がログインしていて呼び出しに対して正常応答を返さない場合の各々において行う処理を記憶する記憶手段と、着信を要求された無線ＩＰ電話機が着信できない場合に着信できない原因に対応する前記記憶された処理を行う処理手段とを備えることを特徴とする。
【００１１】
請求項２に記載の呼接続制御装置によれば、着信を要求された無線ＩＰ電話機がログインしていない場合、着信を要求された無線ＩＰ電話機が話中の場合、着信を要求された無線ＩＰ電話機がログインしていて呼び出しに対して正常応答を返さない場合の各々で行う処理を、場合毎に変えることができる。
【００１２】
請求項３に記載の呼接続制御方法は、無線ＬＡＮ基地局を通して接続される無線ＩＰ電話機の呼接続制御を行う呼接続制御装置において使用され、前記無線ＩＰ電話機に対する着信要求を受けた際に呼接続制御を行う呼接続制御方法であって、着信を要求された無線ＩＰ電話機が着信できない場合に、着信できない原因毎に予め定めた処理を行うことを特徴とする。
【００１３】
請求項３に記載の呼接続制御方法によれば、着信できない場合に行う処理を、着信できない原因毎に変えることができる。
【００１４】
請求項４に記載の呼接続制御方法は、無線ＬＡＮ基地局を通して接続される無線ＩＰ電話機の呼接続制御を行う呼接続制御装置において使用され、前記無線ＩＰ電話機に対する着信要求を受けた際に呼接続制御を行う呼接続制御方法であって、着信を要求された無線ＩＰ電話機がログインしていない場合、着信を要求された無線ＩＰ電話機が話中の場合、着信を要求された無線ＩＰ電話機がログインしていて呼び出しに対して正常応答を返さない場合の各々において、各々の場合毎に予め定めた処理を行うことを特徴とする。
【００１５】
請求項４に記載の呼接続制御方法によれば、着信を要求された無線ＩＰ電話機がログインしていない場合、着信を要求された無線ＩＰ電話機が話中の場合、着信を要求された無線ＩＰ電話機がログインしていて呼び出しに対して正常応答を返さない場合の各々で行う処理を、場合毎に変えることができる。
【発明の効果】
【００１６】
本発明によれば、無線ＬＡＮを使用した電話システムにおいて、着信できない場合に行う処理を、着信できない原因毎に変えることで、着側とのアクセスの機会を向上させる呼接続制御装置及び呼接続制御方法を提供することができる。
【発明を実施するための最良の形態】
【００１７】
本発明の実施の形態を、図面を参照して説明する。なお、以下の実施例は本発明の具体例の１つに過ぎず、本発明が以下の実施形態に限定されるものではない。
【００１８】
図１は、本実施例における電話システムの構成を示す図である。この電話システムは、無線ＩＰ電話機６３、無線ＬＡＮ基地局６４、呼接続制御装置１１を備え、無線ＩＰ電話機６３と無線ＬＡＮ基地局６４は無線により接続されており、無線ＬＡＮ基地局６４と呼接続制御装置１１はＬＡＮ３１により接続されている。また、この電話システムは、パーソナルコンピュータ５１、固定ＩＰ電話６２、公衆網４１に接続するための構内交換機２１、ＩＰ網４２に接続するためのルータ２２が、ＬＡＮ３１に接続されている。
【００１９】
図２は、呼接続制御装置１１において実施される呼接続制御方法の手順を示すフローチャートである。図３は、呼接続制御装置１１に接続することができる全ての無線ＩＰ電話機６３について、その内線番号と、図２に示す呼接続制御方法の手順における、処理１、処理２、処理３の内容を示す説明図である。
【００２０】
呼接続制御装置１１は、ログインしている無線ＩＰ電話機６３の内線番号を記憶している。また、図３に示すテーブルを記憶しており、まず、発側の電話機から呼接続制御装置１１に、着信要求が到達すると、この手順は開始される。ステップＳ１１０で、呼接続制御装置１１は、呼び出された無線ＩＰ電話機６３が、ログインしているかを確認する。この結果、ログインしている場合は、ステップＳ１２０に進み、そうでない場合は、ステップＳ２１０に進む。
【００２１】
ステップＳ２１０で、呼接続制御装置１１は、図３に示すテーブルにおいて、着信対象となっている無線ＩＰ電話機６３の処理１に記憶された処理（例えば、内線番号２００２の場合、着信を０９０−ＸＸＸＸ−ＸＸＸ２の電話番号の電話機に転送する処理）を行い、「終了」に進む。
【００２２】
ステップＳ１２０で、呼接続制御装置１１は、呼び出された無線ＩＰ電話機６３が、話中であるかを確認する。この結果、話中の場合は、ステップＳ２２０に進み、そうでない場合は、ステップＳ１２５に進む。
【００２３】
ステップＳ２２０で、呼接続制御装置１１は、図３に示すテーブルにおいて、着信対象となっている無線ＩＰ電話機６３の処理２に記憶された処理（例えば、内線番号２００２の場合、発信した電話機にビジートーンを送出する処理）を行い、「終了」に進む。
【００２４】
ステップＳ１２５で、呼接続制御装置１１は、着信対象となっている無線ＩＰ電話機６３を呼び出し、ステップＳ１３０に進む。
【００２５】
ステップＳ１３０で、呼接続制御装置１１は、呼び出された無線ＩＰ電話機６３から正常応答が送信されて来るかを確認する。この結果、正常応答が到達した場合は、ステップＳ１３５に進み、そうでない場合は、ステップＳ２３０に進む。
【００２６】
ステップＳ２３０で、呼接続制御装置１１は、図３に示すテーブルにおいて、着信対象となっている無線ＩＰ電話機６３の処理３に記憶された処理（例えば、内線番号２００２の場合、着信を０３−ＸＸＸＸ−ＸＸＸ２の電話番号の電話機に転送する処理）を行い、「終了」に進む。
【００２７】
ステップＳ１３５で、呼接続制御装置１１は、着信対象となっている無線ＩＰ電話機６３と通話を行い、その後、「終了」に進む。
【００２８】
このようにして、着信を要求された無線ＩＰ電話機６３がログインしていない場合、着信を要求された無線ＩＰ電話機６３が話中の場合、着信を要求された無線ＩＰ電話機６３がログインしていて呼び出しに対して正常応答を返さない場合の各々の着信できない原因に対して、異なった処理を行わせることができる。
【００２９】
上述の手順では、初めに、ステップＳ１１０において、着信を要求された無線ＩＰ電話機６３がログインしているか否かを確認するが、このようにすることにより、ログインしていない無線ＩＰ電話機６３に対する呼び出しを防止することができる。
【００３０】
また、ステップＳ１３０において、ログインしているにもかかわらず正常応答が返ってこない場合は、少なくとも前回のログイン確認時には圏内にいたことになるため、圏外になったばかりであり、長い時間圏外であった、ステップＳ１１０における圏外よりも、無線ＬＡＮ基地局６４の近辺にいる可能性が高く、この特性を活用できるよう処理（本実施例においては、処理１と処理３）を設定することで、より使い勝手の良い電話システムの構築が可能となる。具体的には、図３の内線番号２００２のように、圏外時間が長い場合（処理１）は、携帯電話に着信転送し、圏外になったばかりの場合（処理３）は、無線ＬＡＮエリア近傍の固定電話に着信転送するように設定することで、着側の人とのアクセスの機会をより向上させることができる。
【００３１】
以上述べたように、本発明によれば、無線ＬＡＮを使用した電話システムにおいて、着信できない場合に行う処理を、着信できない原因毎に変えることで、着側とのアクセスの機会を向上させる呼接続制御装置及び呼接続制御方法を提供することができる。
【００３２】
なお、上述の実施例では、無線ＩＰ電話機６３の識別子（図３に示すテーブルの最も左の列）に、内線番号を使用しているが、ユーザ名、ＭＡＣアドレス、ＩＰアドレス等を使用しても良い。また、無線ＩＰ電話機６３が着信できない原因を特定するために、「ログインしているか」、「話中か」、「呼び出しに対して正常応答を返すか」という条件判断を使用したが、「呼び出しに対する応答が１３秒以内か」、「呼び出しに対する応答がタイムアウトしたか」等を使用しても良い。更に、呼接続制御方法における処理として、圏外トーン送出、ビジートーン送出、携帯電話への着信転送、固定電話への着信転送を使用したが、メール通知、他の内線電話への着信転送等を使用しても良い。
【図面の簡単な説明】
【００３３】
【図１】実施例の構成を示す図である。
【図２】呼接続制御方法の手順を示すフローチャートである。
【図３】内線番号と処理１、処理２、処理３の内容を示すテーブルの説明図である。
【符号の説明】
【００３４】
１１  呼接続制御装置
３１  ＬＡＮ
６３  無線ＩＰ電話機
６４  無線ＬＡＮ基地局
【図１】
2007074428.tif 000003
【図２】
2007074428.tif 000004
【図３】
2007074428.tif 000005